(57)【要約】      （修正有）【課題】燃焼空気の吹き上げを無くし、燃焼筒内での燃焼空気の滞留時間を長く、上昇温度をより高くし均等に攪拌され燃焼し、鍋を均等に加熱するとともに、熱効率を向上する燃焼空気案内羽根付き燃焼補助具を提供する。【解決手段】本発明は、燃焼空気案内羽根２を燃焼筒１の外側に曲げて、燃焼筒１内部で燃焼空気の吹上げによるエネルギーの損失をなくし、燃焼効率を向上し製品の寿命を長くする。また、燃焼空気案内羽根２を斜めに切り込むと燃焼筒１を円筒状に成形する時に自力で外側に開くことを利用して、燃焼空気案内羽根２の曲げ加工の工程を省く。さらに、燃焼筒１を重ねあわせが可能な円錐台状に仕上げて製品とし、製品搬送時の容積を小さくする。【選択図】図１
2006153414.tif 000002
【特許請求の範囲】
【請求項１】
燃焼空気案内羽根（２）を燃焼筒（１）の外側に曲げて製作することを特徴とする燃焼筒（１）と燃焼空気案内羽根（２）から構成する燃焼補助具
【請求項２】
燃焼空気案内羽根（２）を斜めに切込んで製作することを特徴とする燃焼筒（１）と燃焼空気案内羽根（２）から構成する燃焼補助具
【請求項３】
燃焼筒（１）頂部の直径を小さく円錐台状に製作することを特徴とする燃焼筒（１）と燃焼空気案内羽根（２）から構成する燃焼補助具
【発明の詳細な説明】
【技術分野】
【０００１】本発明は火炎または可燃物の外周に設置する燃焼空気案内羽根付き燃焼補助具である。
【背景技術】
【０００２】ガスコンロ用燃焼空気案内羽根（実用新案登録番号３０９８８４７）
【発明の開示】
【発明が解決しようとする課題】
【０００３】既存のガスコンロ用燃焼空気案内羽根は、燃焼筒（１）の下部を垂直に切り込み、燃焼筒（１）の内側に曲げて燃焼空気案内羽根（２）を製作している。燃焼筒（１）内に取り入れられた燃焼空気の一部は燃焼空気案内羽根（２）により吹き上げられて必要以上の速度で上昇し、燃焼を終えた火炎（３）の外炎部に衝突後、大気へ放出される。そのため、燃焼空気のエネルギーを損失し、燃焼効率の向上を妨げている。また、燃焼筒（１）を支持する燃焼空気案内羽根（２）は火炎（３）に近く高温となり、高温の火炎（３）に使用すると製品の寿命も短かくなる。【０００４】また、燃焼空気案内羽根（２）を平板から製作する場合、平板に垂直の切り込みを入れ燃焼筒（１）を円筒状に成形した後に、燃焼空気案内羽根（２）を曲げる作業を必要とする。【０００５】さらに、燃焼筒（１）を円筒状に仕上げて製品にするため重ねあわせが出来ず、製品の搬送時に大きな容積を必要とする。
【課題を解決するための手段】
【０００６】本発明は、燃焼空気案内羽根（２）を燃焼筒（１）の外側に曲げて製作し、燃焼空気を燃焼筒（１）外部の燃焼空気案内羽根（２）で燃焼空気を旋回させることにより、燃焼筒（１）内部での燃焼空気の吹上げを無くし、燃焼空気のエネルギー損失を少なくし、そのエネルギーを内炎、中炎等の火炎（３）未燃焼部への衝突に利用して燃焼効率を向上する。燃焼筒（１）を支持する燃焼空気案内羽根（２）は燃焼筒（１）外部にあり火炎（３）からより遠く、低温になるため、より高温の火炎（３）に使用でき、製品の寿命も長くなる。【０００７】また、平板に燃焼空気案内羽根（２）を斜めに切り込んで円筒状に燃焼筒（１）を成形する時に、燃焼空気案内羽根（２）が自力で外側に開くことを利用して、燃焼空気案内羽根（２）を曲げる作業を省くものである。燃焼空気案内羽根（２）を切り込む深さと角度で燃焼空気の吸入量と旋回力を調節する。
【図１】
は直線で切り込んでいるが、上方に湾曲する放物線状に切り込んでもよい。
【０００８】さらに、燃焼筒（１）の頂部を絞り円錐台状に仕上げることで重ねあわせを可能にし、搬送時に製品の容積を小さくする。
【発明の効果】
【０００９】燃焼空気案内羽根（２）を燃焼筒（１）の外側に曲げて製作することにより、燃焼筒（１）内での燃焼空気案内羽根（２）による燃焼空気の吹き上げを無くし、燃焼筒（１）内での燃焼空気の滞留時間を長く、上昇温度をより高くするとともに、燃焼空気を火炎（３）の未燃部への衝突に使用できる。火炎（３）は燃焼空気の旋回により均等に攪拌され燃焼し、鍋を均等に加熱するとともに、熱効率を向上する。本発明の燃焼空気案内羽根付き燃焼補助具を使用した場合と、使用しない場合の比較のため、同量の水の沸騰時間を比較する簡単な試験を行った結果、既存のガスコンロ用燃焼空気案内羽根の沸騰時間短縮率１１．６％を上回り、１３％の沸騰時間を短縮した。
また、燃焼空気案内羽根（２）は火炎（３）からより遠く、低温となるので、石油コンロ、屋外用コンロ等のより高温の火炎（３）に使用することが可能になり、用途が広がり、製品の寿命も長くなる。
【００１０】平板に燃焼空気案内羽根（２）を斜めに切り込んで加工することにより、燃焼筒（１）の成形後に行う燃焼空気案内羽根（２）を曲げる作業を省く。また、燃焼空気案内羽根（２）の切り込む深さと角度を調節することにより燃焼空気の吸入量と旋回力を調節できる。
【００１１】燃焼筒（１）を円錐台状にして製品に仕上げることで、重ねあわせを可能にし、製品搬送時の容積を小さくする。
【発明を実施するための最良の形態】
【００１２】本発明は火炎（３）または可燃物の外周に設置して、周囲の温められた空気を回収し燃焼空気として使用することにより熱効率の向上を図るものである。既存のガスコンロ用燃焼空気案内羽根の欠点を改善し、さらなる燃焼効率の向上を可能にし、用途の拡大、製作工程の短縮および製品搬送時の容積縮小を図るものである。【００１３】従来のガスコンロ用燃焼空気案内羽根は燃焼空気案内羽根（２）を内側に曲げて製作しているため、燃焼筒（１）内で燃焼空気案内羽根（２）が燃焼空気を吹き上げ、燃焼を終えた火炎（３）の外炎部に衝突させ燃焼空気のエネルギーを無駄にしている。燃焼空気案内羽根（２）を切り込んで燃焼筒（１）の外側に曲げて製作することにより、燃焼空気は燃焼筒（１）外部の燃焼空気案内羽根（２）により旋回力を生じ、燃焼筒（１）内部に送られエネルギー損失の原因となる燃焼空気案内羽根（２）の吹き上げがなくなり燃焼筒（１）内部での旋回力は強くなる。また、燃焼空気は吸入時に外部の燃焼空気案内羽根（２）によりやや下向きに誘導されるので上昇の速度は抑制される。これにより燃焼空気は燃焼筒（１）内での滞留時間が長く、上昇温度がより高くなり内炎および外炎等の火炎（３）の未燃焼部に勢いよく旋回しながら衝突し、燃焼空気と火炎（３）の未燃焼部との攪拌が促進され燃焼する。また、燃焼筒（１）の重量を支持する燃焼空気案内羽根（２）が火炎（３）から遠く低温になるため、より高温の火炎（３）に使用することが可能になり製品の用途が広がり、製品の寿命も長くなる。【００１４】また、平板から燃焼空気案内羽根（２）を製作する場合、燃焼空気案内羽根（２）を垂直に切り込んで製作すると燃焼筒（１）の成形後に羽根を曲げる作業が必要である。燃焼空気案内羽根（２）を斜めに切り込んで製作すると燃焼筒（１）を円筒状に成形する際に燃焼空気案内羽根（２）は自力で外側に開く。燃焼空気案内羽根（２）を切り込む深さが長いほど燃焼空気案内羽根（２）は大きく開き燃焼空気の吸入量は多くなり、切り込む角度（切り込み口と切り込み終端とを結ぶ直線の角度）が水平に近いほど燃焼空気案内羽根（２）は長くなり燃焼空気の旋回力は大きくなる。燃焼筒（１）の成形後に燃焼空気案内羽根（２）が一定の開度および長さになるように燃焼空気案内羽根（２）の切り込み深さと角度を調整して切り込むと、燃焼筒（１）を成形した後に行う燃焼空気案内羽根（２）を曲げる作業を省くことができる。燃焼空気案内羽根（２）の先端は鋭角となるので、取り扱い時に人体を傷つけないよう丸みを持たせて製作する。【００１５】さらに、燃焼筒（１）はプレス等で底部を頂部より広くして円錐台状に仕上げ製品とする。これにより、製品の重ねあわせが可能となり、製品搬送時の容積が小さくなる。
【実施例】
【００１６】本発明は市販のコンロの五徳（４）と受け皿（５）の間に取り付けて使用したり、新作のコンロやストーブに部品として組み込んで使用する他、鋳鉄等の高強度の材料で大きく製作し、上部に五徳等の容器（鍋）支持部および排気口兼燃料（薪等）投入口用の隙間を確保し、屋外の地面に置いてコンロとして使用すれば、投入する燃料（薪等）が排気により予熱されるため、着火し易く、火の回りが早く、余分な風の吹き込みを防ぎ燃焼効率が向上することを特徴とするキャンプ用のコンロとなる。また、葬列客が多い場合に線香の燃焼時間を短縮する目的で、本発明の燃焼空気案内羽根付き燃焼補助具を小さく製作し、香炉の中に置いて使用すると線香の燃焼を促進し、煙の発生を少なくする焼香用の燃焼補助具となる。
【図面の簡単な説明】
【００１７】
【図１】は本発明の燃焼空気案内羽根付き燃焼補助具の一例を示す斜視図である。
【図２】は本発明の燃焼空気案内羽根付き燃焼補助具をコンロの五徳（４）と受け皿（５）の間に置いた使用の一例を示す断面図である。
【符号の説明】
【００１８】（１）は燃焼筒、（２）は燃焼空気案内羽根、（３）は火炎、（４）は五徳、（５）は受け皿、
【図１】
2006153414.tif 000003
【図２】
2006153414.tif 000004